(57)【特許請求の範囲】
【請求項１】
本体に設けられる敷物巻敷装置は、本体に対して上下動自在でかつ遊端間において巻芯を支持自在な左右一対のブームと、これらブームを上下揺動させるブーム用シリンダーと、両ブームに上下動自在に取り付けられかつ遊端間にコンタクトロールが設けられたテンションアームと、テンションアームとブームとの間に設けられテンションアームを上下動させるテンション用シリンダーとにより構成され、両テンション用シリンダーへの給排油経路に、巻き取り側バルブ手段と敷き込み側バルブ手段とが並列して接続され、これらバルブ手段に巻き取り敷き込みの切り換えバルブが接続されていることを特徴とする敷物巻敷機。
【請求項２】
バルブ手段は、それぞれ電磁バルブとリリーフバルブにより構成され、両リリーフバルブ側に電磁式の切り換えバルブが接続されていることを特徴とする請求項１記載の敷物巻敷機。
【発明の詳細な説明】
【０００１】
【発明の属する技術分野】
本発明は、たとえば野球や他目的イベントなどを開催するドームにおいて、このドーム内のグランド上に人工芝を敷き込んだり、敷き込まれた人工芝を巻き取ったりするのに使用される敷物巻敷機に関するものである。
【０００２】
【従来の技術】
従来、この種の構成としては、たとえば特開平１０−１６７５８２号公報に見られる人工芝巻敷機が提供されている。すなわち、本体の前部側に、人工芝の巻き取りおよび敷き込みを行う人工芝巻敷装置が設けられている。この人工芝巻敷装置は、左右一対のブームを有し、これら両ブームを上下揺動させるためのブーム昇降用シリンダーが設けられている。そして両ブームの遊端（先端）にはマンドレル保持装置が設けられ、これらマンドレル保持装置に保持されるマンドレルを介して両ブーム間で巻芯が支持自在となる。
【０００３】
両ブームにはテンションアームが上下動自在に取り付けられ、両テンションアームの遊端（先端）間にはコンタクトロールが回転自在に設けられるとともに、片側のテンションアームには巻取り用モータが設けられている。さらに、両テンションアームとブームとの間には、コンタクトロールを上下動させるテンション用シリンダーが設けられている。
【０００４】
この従来構成によると、テンションアームは、テンション用シリンダーの伸縮動によって昇降して、コンタクトロールを上下動させるが、その際に、巻き取りおよび敷き込みで押え力が必要なときには、電磁バルブ（モジューラバルブ）を作動させてテンション用シリンダーに伸展力を付与している。ここで電磁バルブには、ロール押圧を一定に保つ機能、すなわちリリーフバルブが付加されている。
【０００５】
【発明が解決しようとする課題】
しかし上記した従来構成によると、電磁バルブ側のリリーフバルブは半固定式のため、運転操作中には押え力の調整ができないことになり、以て巻き取りや敷き込みで押え力が必要な場合、同じ力で押えることになる。
【０００６】
なお、運転席にリリーフバルブ用のダイヤル（ハンドル）がある場合、運転操作中にダイヤルを回すことにより、巻き取りや敷き込みにおいて押え力を変えることができるが、巻き取り、敷き込みが切り換わるごとにダイヤルで調整するのは大変である。たとえば、敷き込み中にうまく敷き込めなくて、少し巻き取りたい場合、まずダイヤルを回して巻き取り用の押え力に切り換えて巻き取り、次いでダイヤルを回して敷き込み用の押え力に切り換えなければならず、このような調整を行うには時間もかかり、オペレータにとっては無駄な労力である。
【０００７】
そこで本発明の請求項１記載の発明は、巻き取りと敷き込みで異なる押え力が必要な場合、その押え力の調整、すなわち切り換えを容易に行える敷物巻敷機を提供することを目的としたものである。
【０００８】
【課題を解決するための手段】
前述した目的を達成するために、本発明のうちで請求項１記載の敷物巻敷機は、本体に設けられる敷物巻敷装置は、本体に対して上下動自在でかつ遊端間において巻芯を支持自在な左右一対のブームと、これらブームを上下揺動させるブーム用シリンダーと、両ブームに上下動自在に取り付けられかつ遊端間にコンタクトロールが設けられたテンションアームと、テンションアームとブームとの間に設けられテンションアームを上下動させるテンション用シリンダーとにより構成され、両テンション用シリンダーへの給排油経路に、巻き取り側バルブ手段と敷き込み側バルブ手段とが並列して接続され、これらバルブ手段に巻き取り敷き込みの切り換えバルブが接続されていることを特徴としたものである。
【０００９】
したがって請求項１の発明によると、テンション用シリンダーの伸縮動によってテンションアームを昇降させることで、ブーム側で支持されて巻き取られまたは敷き込まれているロール状敷物に、コンタクトロールを当接し得る。そして、巻き取り時や敷き込み時においてコンタクトロール側に押え力が必要なとき、巻き取り側バルブ手段または敷き込み側バルブ手段の一方を作動させるとともに、切り換えバルブを正逆に作動させて、給油経路を巻き取り側バルブ手段または敷き込み側バルブ手段の一方に接続させる。これにより巻き取り時や敷き込み時には、それぞれのバルブ手段に設定された範囲内で、すなわち異なる押圧力をコンタクトロールに付与し得る。
【００１０】
また本発明の請求項２記載の敷物巻敷機は、請求項１記載の構成において、バルブ手段は、それぞれ電磁バルブとリリーフバルブにより構成され、両リリーフバルブ側に電磁式の切り換えバルブが接続されていることを特徴としたものである。
【００１１】
したがって請求項２の発明によると、たとえば運転席でのスイッチ操作によって、電磁バルブや切り換えバルブをオン、オフさせることで、巻き取り時と敷き込み時には、それぞれのリリーフバルブに設定されたリリーフ圧の範囲内でロール押圧力を調整し得る。
【００１２】
【発明の実施の形態】
以下に、本発明の実施の形態を、人工芝の巻敷に採用した状態として、図に基づいて説明する。
【００１３】
敷物巻敷機の本体（車体）１は、車幅方向の左右フレーム２と、この左右フレーム２の中央部分から前後方へ連設される前後フレーム３とにより、平面視でＴ字状に形成されている。そして前後フレーム３の遊端部にはバランスウエイト４などが設けられる。
【００１４】
前記左右フレーム２の左右中間部分（少なくとも二箇所）には、それぞれ軸受装置１０を介して縦方向の換向軸１１が設けられ、これら換向軸１１の下部には、車輪軸１２などを介して前輪（前輪タイヤ）１３が設けられている。なお各前輪１３は、それぞれ左右一対の二輪、合計四輪形式に構成されているが、左右方向で三箇所の六輪形式などであってもよい。そして、左右フレーム２の部分にはフロントアクスル装置（図示せず。）が配設されている。
【００１５】
前後フレーム３の遊端側には、軸受装置１５を介して縦方向の換向軸１６が設けられ、この換向軸１６の下端には旋回台１７が設けられる。そして旋回台１７には、車輪軸１８などを介して後輪（後輪タイヤ）１９が設けられる。ここで後輪１９は左右一対の二輪形式に構成され、その際に一方の後輪１９は走行駆動装置（ホイールインモータなどで図示せず。）が設けられた駆動輪であり、他方の後輪１９は従動輪とされている。そして、前後フレーム３の部分にはリヤアクスル装置２０が配設されている。
【００１６】
前記左右フレーム２の両端部分には、それぞれ架台２１が設けられている。これら架台２１には、その後部に運転席２２が設けられ、この運転席２２の前方にはハンドル２３が設けられている。そして運転席２２の周辺には、テンションアーム開閉用レバー２４、サイドシフト用レバー２５、ブーム昇降用レバー２６、前後進用レバー２７などが設けられている。なお、運転席２２などは、視野の関係から高い位置に配置されており、そのために乗降用の梯子２８が設けられている。
【００１７】
前記車体１の前部側には、人工芝の巻き取りおよび巻き戻し（敷き込み）を行う人工芝巻敷装置（敷物巻敷装置の一例）３０が配設されている。すなわち、前記左右フレーム２の両端部分には、それぞれ支持部材３１を介して左右方向のガイドロッド３２が設けられ、これらガイドロッド３２にはブーム３３が、その基端を介して取り付けられている。その際にブーム３３はガイドロッド３２に対して、昇降動（上下揺動）自在ならびに左右摺動自在に取り付けられ、そしてブーム３３間に左右方向の連結材３４が設けられることで、昇降動ならびに左右摺動が一体に行われるよう構成されている。
【００１８】
両ブーム３３を昇降動させるために、左右フレーム２の下面に設けられたブラケット３５とブーム３３の先端部との間にブーム用シリンダー３６が設けられている。さらに両ブーム３３を左右摺動させるために、左右フレーム２の上面に設けられたブラケット３７と連結材３４側のブラケット３８との間にサイドシフト用シリンダー３９が設けられている。
【００１９】
両ブーム３３の遊端（先端）には、マンドレル保持装置４０が設けられる。すなわち、両ブーム３３の遊端には上面側開放の凹状部４１が形成され、この凹状部４１を上方側から開閉自在なフック部材４２が、左右方向の連結ピン４３を介してブーム３３側に揺動自在に取り付けられている。前記フック部材４２の外面側に係止段部４４が形成され、フック部材４２が閉動姿勢において、前記係止段部４４に対して係脱自在なロック部材４５が、左右方向の枢支ピン４６を介してブーム３３側に揺動自在に取り付けられている。以上の４１〜４６などにより、マンドレル保持装置４０の一例が構成される。
【００２０】
両マンドレル保持装置４０に保持されるマンドレル７０は、中央鍔部７０ａと、この中央鍔部７０ａに対して内側に位置された軸部に軸受を介して遊転自在に外嵌される差し込み部７０ｂと、中央鍔部７０ａに対して外側に位置される被保持部７０ｃなどにより構成される。そして巻芯７１の両端部に差し込み部７０ｂを差し込み連結した状態で、被保持部７０ｃを凹状部４１に係止させることで、マンドレル保持装置４０を介して両ブーム３３間で巻芯７１を支持自在としている。
【００２１】
両ブーム３３の基部からはブラケット体５０が上方へ連設され、これらブラケット体５０には、左右方向ピン５１を介してテンションアーム５２が上下動自在に取り付けられている。そして、テンションアーム５２の遊端（先端）間には、コンタクトロール５３のロール軸５４が回転自在に設けられ、このロール軸５４に連動する巻取り用モータ５５が、他方のテンションアーム５２に設けられている。さらに、両テンションアーム５２の遊端側とブラケット体５０との間には、コンタクトロール５３を上下動させるテンション用シリンダー５６が設けられている。
【００２２】
両テンション用シリンダー５６への給排油経路、すなわち伸展室側給排油経路５８と収縮室側給排油経路５９とは、コントロールバルブが介在された状態で駆動ポンプやタンク（いずれも図示せず。）などに接続されている。そして両給排油経路５８，５９に、巻き取り側バルブ手段６０と敷き込み側バルブ手段６１とが並列して接続されている。ここでバルブ手段６０，６１は、それぞれ電磁バルブ６０Ａ，６１Ａとリリーフバルブ６０Ｂ，６１Ｂにより構成されている。
【００２３】
両バルブ手段６０，６１に、巻き取りと敷き込みの切り換えを行う電磁式の切り換えバルブ６２が接続されている。すなわち両リリーフバルブ６０Ｂ，６１Ｂ側には、駆動ポンプからの給油経路６３とタンクへの排油経路６４が接続され、そして給油経路６３中に前記切り換えバルブ６２が介在されている。なおリリーフバルブ６０Ｂ，６１Ｂは、巻き取り側と敷き込み側ではリリーフ圧の設定が異ならしめてある。
【００２４】
ここで運転席２２には、コンタクトロール５３側に押え力が必要なときに前記電磁バルブ６０Ａ，６１Ａを作動させるための巻き取り側操作スイッチ６５と敷き込み側操作スイッチ６６とが設けられている。以上の３１〜６７などにより、人工芝巻敷装置３０の一例が構成される。
【００２５】
次に、人工芝巻敷装置３０の各部動作や、走行部動作を説明する。
前記ブーム３３は、ブーム用シリンダー３６の伸縮動によって昇降を行うが、この昇降はロール状人工芝７２ａの径に合わせて制御される。その際に、ブーム用シリンダー３６のテール側をタンクに開放する（下降側フリー）ことで、ロール径に応じてブーム３３が昇降することになって、ロール状人工芝７２ａを接地したまま巻き取りや敷き込みを可能としている。
【００２６】
前記ブーム３３などは、サイドシフト用シリンダー３９の伸縮動によって左右動を行うが、ここでストロークは大きく（たとえば左右各150 mm）、以て多少のずれは調整可能である。前記テンションアーム５２は、テンション用シリンダー５６の伸縮動によって昇降して、コンタクトロール５３を上下動させるが、その際に通常の上下動は、図１に示されるように、両バルブ手段６０，６１の電磁バルブ６０Ａ，６１Ａがオフの状態で行われる。そして運転席２２でのスイッチ操作によって、巻き取り時と敷き込み時にはロール押圧力を調整可能とされる。
【００２７】
すなわち、巻き取り時においてコンタクトロール５３側に押え力が必要なとき、図２に示されるように、運転席２２で巻き取り側操作スイッチ６５を操作して巻き取り側バルブ手段６０の電磁バルブ６０Ａをオンさせるとともに、切り換えバルブ６２をオンさせて給油経路６３を巻き取り側バルブ手段６０に接続させる。これにより巻き取り時には、リリーフバルブ６０Ｂに設定されたリリーフ圧の範囲内でコンタクトロール５３に押圧力を付与し得る。
【００２８】
また、敷き込み時においてコンタクトロール５３側に押え力が必要なとき、図３に示されるように、運転席２２で敷き込み側操作スイッチ６６を操作して敷き込み側バルブ手段６１の電磁バルブ６１Ａをオンさせるとともに、切り換えバルブ６２をオフとして給油経路６３を敷き込み側バルブ手段６１に接続させる。これにより敷き込み時には、リリーフバルブ６１Ｂに設定されたリリーフ圧の範囲内でコンタクトロール５３に押圧力を付与し得る。
【００２９】
前記巻取り用モータ５５の回転スピードは調整可能であり、また同期巻きができるように、人工芝７２の張力が大きい場合は回転しない。そして前進により人工芝７２が緩んで、その張力が小さくなると、巻取り用モータ５５は回転して、前進（走行）した分だけ巻き取ることが可能となる。
【００３０】
以下に、上記した実施の形態において、グランド７３上に敷設されている人工芝７２を巻き取る作業を説明する。
（Ａ）人工芝７２に対する巻芯７１のセット
これは人手により行われるもので、巻芯７１に人工芝７２の端部を二〜三回巻き付けたのち、巻芯７１の両端部にマンドレル７０を、その差し込み部７０ｂを差し込んで連結することにより、人工芝７２に巻芯７１をセットし得る。
（Ｂ）人工芝巻敷装置３０による巻芯７１のピックアップ
まず人工芝７２の幅方向中心に人工芝巻敷装置３０の中心が位置しているか否かの確認を行う。そして中心がずれていたとき、サイドシフト用レバー２５の操作によりサイドシフト用シリンダー３９を伸縮動させ、両ブーム３３を一体に左右移動させて中心を合わせる。この前後に、ロック部材４５を上方へ解除揺動させるとともにフック部材４２を上方へ開動させ、凹状部４１を開放させる。この状態で、本体１とともに人工芝巻敷装置３０を前進させて、マンドレル７０の被保持部７０ｃを凹状部４１に係止させる。
【００３１】
そして、巻方向スイッチを巻き取り側にすることで、自動的にテンション用シリンダー５６を伸展動させ、テンションアーム５２を下方揺動（閉動）させてコンタクトロール５３を、巻芯７１に巻き付けているロール状人工芝７２ａに上方から当接させる。これにより、ロール状人工芝７２ａの緩みを防止し得る。
【００３２】
次いで、フック部材４２を下方へ閉動させた状態で、ロック部材４５を下方へ揺動させ、その遊端を係止段部４４に対して係止させることで、マンドレ保持装置４０を介して両ブーム３３間で巻芯７１を保持しロックし得る。その後に、ブーム昇降用レバー２６の操作によりブーム用シリンダー３６を伸展動させ、両ブーム３３を一体に上方揺動（上昇）させることで巻芯７１を持上げ得、以て巻芯７１のピックアップを行える。
（Ｃ）人工芝巻敷装置３０による巻芯７１の巻き取り
まず、巻取り用モータ５５の速度調整ダイヤルで巻取り速度の調整を行う。このとき巻取り用モータ５５は、人工芝７２の張力が大きいため回らない。次いで、本体１とともに人工芝巻敷装置３０を前進させ、人工芝７２を巻き取って行く。すなわち、前進することによって人工芝７２が緩み、このとき巻取り用モータ５５により強制回転しているコンタクトロール５３が人工芝７２に当接していることで、この人工芝７２が巻芯７１とともに回転され、以て人工芝７２が巻き取られる。なおマンドレル７０では、その差し込み部７０ｂが巻芯７１とともに回転される。
【００３３】
さらに、巻き取り時においてコンタクトロール５３側に押え力が必要なとき、図２に示されるように、巻き取り側操作スイッチ６５を操作して電磁バルブ６０Ａをオンさせるとともに、切り換えバルブ６２をオンさせることにより、リリーフバルブ６０Ｂに設定されたリリーフ圧の範囲内で、コンタクトロール５３に押圧力を付与し得る。これにより、ロール状人工芝７２ａにコンタクトロール５３を設定された押圧力で当接させ得、以て巻き取りを容易にかつ確実に行えることになる。
（Ｄ）人工芝巻敷装置３０からのロール状人工芝７２ａの取り外し
巻き取りを終えたならば、本体１を走行させるなどして、ロール状人工芝７２ａを格納箇所（格納倉庫）へ運搬する。そして、まずロック部材４５を上方へ解除揺動させ、フック部材４２を上方へ開動させて凹状部４１を開放させる。次いで、ブーム昇降用レバー２６の操作によりブーム用シリンダー３６を収縮動させ、両ブーム３３を一体に下方揺動（下降）させることで、巻芯７１とともに下降されるロール状人工芝７２ａを着地し得る。
【００３４】
そして、テンションアーム開閉用レバー２４の操作によりテンション用シリンダー５６を収縮動させ、テンションアーム５２を上方揺動（開動）させて、コンタクトロール５３をロール状人工芝７２ａに対して上方へ離間させる。この状態で本体１を後進させることにより、ロール状人工芝７２ａに対して人工芝巻敷装置３０を外し得る。その後に、巻芯７１の両端部からマンドレル７０を抜出させることで、前述した（Ａ）の工程へ戻る。
【００３５】
以下に、上記した実施の形態において、グランド７３上に人工芝７２を敷き込む作業を説明する。
（Ｅ）人工芝巻敷装置３０に対するロール状人工芝７２ａのセット
まず、ロール状人工芝７２ａにおける巻芯７１の両端部にマンドレル７０を、その差し込み部７０ｂを差し込んで連結させる。次いで、ロール状人工芝７２ａの幅方向中心に人工芝巻敷装置３０の中心が位置しているか否かの確認を行い、中心がずれていたとき、サイドシフト用レバー２５の操作によりサイドシフト用シリンダー３９を伸縮動させることで、両ブーム３３を一体に左右移動させて中心を合わせる。この前後に、ロック部材４５を上方へ解除揺動させるとともにフック部材４２を上方へ開動させて、凹状部４１を開放させる。そして、テンションアーム開閉用レバー２４の操作によりテンション用シリンダー５６を収縮動させ、テンションアーム５２を上方揺動（開動）させて、コンタクトロール５３を上方へ離間させる。
【００３６】
この状態で、本体１とともに人工芝巻敷装置３０を前進させて、マンドレル７０の被保持部７０ｃに凹状部４１を係止させる。次いで、ブーム昇降用レバー２６の操作によりブーム昇降用シリンダー３６を伸展動させ、両ブーム３３を一体に上方揺動（上昇）させることで、巻芯７１を持上げ得、以てロール状人工芝７２ａのピックアップを行える。その後、フック部材４２を下方へ閉動させ、ロック部材４５を下方へ揺動させて係止段部４４に係止させることで、マンドレ保持装置４０を介して両ブーム３３間で巻芯７１を保持しロックし得、以て人工芝巻敷装置３０にロール状人工芝７２ａをセットし得る。
（Ｆ）人工芝巻敷装置３０による人工芝７２の敷き込み
セットを終えたならば、本体１を走行させるなどして、ロール状人工芝７２ａを敷き込み開始位置へ運搬する。そして、ブーム昇降用シリンダー３６を自動的に収縮動させ、両ブーム３３を一体に下方揺動（下降）させることで、巻芯７１とともに下降されるロール状人工芝７２ａを接地させる。次いで、巻方向スイッチを敷き込み側にすることで自動的にテンション用シリンダー５６を伸展動させ、テンションアーム５２を下方揺動（閉動）させて、コンタクトロール５３をロール状人工芝７２ａに上方から当接させる。これにより、ロール状人工芝７２ａの緩みを防止し得る。
【００３７】
この状態で、本体１とともに人工芝巻敷装置３０を後進させ、人工芝７２を巻戻しながら敷き込んで行く。このとき巻取り用モータ５５により逆に強制回転しているコンタクトロール５３がロール状人工芝７２ａに当接していることで、このロール状人工芝７２ａが巻芯７１とともに回転され、以て人工芝７２が巻き戻される。
【００３８】
さらに、敷き込み時においてコンタクトロール５３側に押え力が必要なとき、図３に示されるように、敷き込み側操作スイッチ６６を操作して電磁バルブ６１Ａをオンさせ、切り換えバルブ６２をオフとすることにより、リリーフバルブ６１Ｂに設定されたリリーフ圧の範囲内で、コンタクトロール５３に押圧力を付与し得る。これにより、ロール状人工芝７２ａにコンタクトロール５３を設定された押圧力で当接させ得、以て敷き込みを容易にかつ確実に行えることになる。
（Ｇ）人工芝巻敷装置３０からの巻芯７１の取り外し
敷き込みを終えたならば、まずテンションアーム開閉用レバー２４の操作によりテンション用シリンダー５６を収縮動させ、テンションアーム５２を上方揺動（開動）させてコンタクトロール５３を上昇させる。次いで、ロック部材４５を上方へ解除揺動させ、フック部材４２を上方へ開動させて凹状部４１を開放させる。この状態で本体１を後進させることで、着地状の巻芯７１に対してブーム３３を抜出し得、以て人工芝巻敷装置３０から巻芯７１を外し得る。
【００３９】
その後に、ブームフローティングスイッチをオフにし、ブーム昇降用レバー２６の操作により、ブーム用シリンダー３６を伸展動させ、両ブーム３３を一体に上方揺動（上昇）させる。そして本体１をロール状人工芝７２ａの収納箇所へと走行させることで、前述した（Ｅ）の工程へ戻る。なお、人工芝巻敷装置３０から外した巻芯７１の両端部からは、マンドレル７０を抜出させる。
【００４０】
以上の（Ａ）〜（Ｄ）の工程により、ロール状人工芝７２ａを浮かせた状態で同期巻きにより人工芝７２の巻き取り作業を行えるが、これは（Ｅ）〜（Ｇ）の工程の逆操作によりロール状人工芝７２ａを接地させた状態で人工芝７２ａの巻取り作業を行ってもよい。また（Ｅ）〜（Ｇ）の工程により、ロール状人工芝７２ａを接地させた状態で人工芝７２の敷き込み作業を行えるが、これは（Ａ）〜（Ｄ）の工程の逆操作によりロール状人工芝７２ａを浮かせた状態で人工芝７２の敷き込み作業を行ってもよい。
【００４１】
次に、上記した実施の形態において、直進時や横行時や斜行時の換向を説明する。前輪１３を直進状態で固定させ、そして後輪１９を、直進状態においてハンドル２３の操作により後輪ステアで直進換向し得る。また、後輪１９を直進状態から横行状態に切り換えかつ固定させ、そして前輪１３を直進状態から横行状態に切り換える。この状態で、ハンドル２３の操作により前輪ステアで横行換向し得る。さらに各前輪１３と後輪１９とを独立操作することで、直進斜行や横行斜行などのように、設定された角度での斜行を可能とする。
【００４２】
上述したように実施の形態では、ハンドル２３の操作やレバー２４〜２７群の操作などにより各作動部を動作させることで、ドーム内などで人工芝７２を巻き敷きし得る。その際に、たとえば図１の実線イに示されるように、進行方向（前進方向）Ａに対して右側に既に人工芝７２が敷設されているときには、右側の運転席２２に乗込んでハンドル操作やレバー操作を行うことで、既に敷設した人工芝の側端面を容易に十分に確認しながら、この側端面を基準面として巻き敷き作業を行える。
【００４３】
また、たとえば図１の仮想線ロに示されるように、進行方向（前進方向）Ａに対して左側に既に人工芝７２が敷設されているときには、左側の運転席２２に乗込んでハンドル操作やレバー操作を行うことで、既に敷設した人工芝の側端面を容易に十分に確認しながら、この側端面を基準面として巻き敷き作業を行える。
【００４４】
このように作業状況に応じて左右の運転席２２を使い分けることで、１台の人工芝巻敷機でありながら、巻き敷き方向に関係なく、常に基準面などを容易に十分に確認しながら人工芝７２を巻き敷きし得る。
【００４５】
上記した実施の形態においては、敷物巻敷装置として人工芝７２の巻き取りや敷き込みを行う人工芝巻敷装置３０が示されているが、他の敷物を取り扱う形式の敷物巻敷装置であってもよい。
【００４６】
上記した実施の形態では、左右フレーム２の両端部分に運転席２２が設けられた形式が示されているが、これは中央部の前後フレーム３の部分に運転席２２が設けられた形式、運転席２２の向きが逆方向とされ、本体１の後部側に人工芝巻敷装置３０を配設した形式、運転席２２の向きが逆方向とされ、左右フレーム２の一方端部分である進行方向（前進方向）Ａに対して右側に運転席２２が設けられ、そして本体１の後部側に人工芝巻敷装置３０が配設された形式、などであってもよい。
【００４７】
【発明の効果】
上記した本発明の請求項１によると、巻き取り時や敷き込み時においてコンタクトロール側に押え力が必要なとき、巻き取り側バルブ手段または敷き込み側バルブ手段の一方を作動させるとともに、切り換えバルブを正逆に作動させて、給油経路を巻き取り側バルブ手段または敷き込み側バルブ手段の一方に接続させることにより、巻き取り時や敷き込み時には、それぞれのバルブ手段に設定された範囲内で、すなわち異なる押圧力をコンタクトロールに付与できる。したがって、運転操作中であったとしても、押え力の調整、すなわち切り換えを容易に行うことができ、以て所期の敷物巻敷作業を、ロス時間を少なくして効率よく行うことができる。
【００４８】
また上記した本発明の請求項２によると、たとえば運転席でのスイッチ操作によって、電磁バルブや切り換えバルブをオン、オフさせることで、巻き取り時と敷き込み時におけるロール押圧力の調整を、それぞれのリリーフバルブに設定されたリリーフ圧の範囲内で、容易に確実に行うことができる。
【図面の簡単な説明】
【図１】本発明の実施の形態を示し、人工芝巻敷機において押え力を付与していない時の油圧回路図である。
【図２】同人工芝巻敷機において巻き取り時に押え力を付与した状態での油圧回路図である。
【図３】同人工芝巻敷機において敷き込み時に押え力を付与した状態での油圧回路図である。
【図４】同人工芝巻敷機の側面図である。
【図５】同人工芝巻敷機の平面図である。
【符号の説明】
１    本体（車体）
１３    前輪（前輪タイヤ）
１９    後輪（後輪タイヤ）
２２    運転席
２３    ハンドル
３０    人工芝巻敷装置（敷物巻敷装置）
３３    ブーム
３６    ブーム用シリンダー
３９    サイドシフト用シリンダー
４０    マンドレル保持装置
５２    テンションアーム
５３    コンタクトロール
５４    ロール軸
５５    巻取り用モータ
５６    テンション用シリンダー
５８    伸展室側給排油経路
５９    収縮室側給排油経路
６０    巻き取り側バルブ手段
６０Ａ  電磁バルブ
６０Ｂ  リリーフバルブ
６１    敷き込み側バルブ手段
６１Ａ  電磁バルブ
６１Ｂ  リリーフバルブ
６２    切り換えバルブ
６３    給油経路
６４    排油経路
６５    巻き取り側操作スイッチ
６６    敷き込み側操作スイッチ
７０    マンドレル
７１    巻芯
７２    人工芝（敷物）
７２ａ  ロール状人工芝
【図１】
0003801425.tif 000002
【図２】
0003801425.tif 000003
【図３】
0003801425.tif 000004
【図４】
0003801425.tif 000005
【図５】
0003801425.tif 000006